(57)【要約】【課題】  面内における最適ＬＣコモン電圧を等価的に均一にして、焼き付き現象及びフリッカの発生を防止する。【解決手段】  格子状に配設された複数のソース線及び複数の走査線の各交差に対応して画素が構成され、前記走査線に供給される走査信号によって前記画素に設けられたスイッチング素子がオンされることによって前記ソース線に供給された画像信号が前記スイッチング素子を介して各画素の画素電極に与えられて画素表示が行われる表示部１００ａについて、前記表示部の画素位置に応じた補正値を記憶する記憶手段３２２と、極性反転駆動用の前記画像信号が与えられ、前記記憶手段からの補正値を正極性及び負極性の前記画像信号に夫々独立に加算して前記表示部に与える補正手段３２６とを具備したことを特徴とする。【選択図】      図５
2006003866.tif 000002
【特許請求の範囲】
【請求項１】
格子状に配設された複数のソース線及び複数の走査線の各交差に対応して画素が構成され、前記走査線に供給される走査信号によって前記画素に設けられたスイッチング素子がオンされることによって前記ソース線に供給された画像信号が前記スイッチング素子を介して各画素の画素電極に与えられて画素表示が行われる表示部について、前記表示部の画素位置に応じた補正値を記憶する記憶手段と、
極性反転駆動用の前記画像信号が与えられ、前記記憶手段からの補正値を正極性及び負極性の前記画像信号に夫々独立に加算して前記表示部に与える補正手段とを具備したことを特徴とする電気光学装置の駆動回路。
【請求項２】
前記補正値は、各画素位置における正極性画像信号の実効値と負極性画像信号の実効値を一致させる最適基準電圧と前記表示部に設定される設定基準電圧との各画素位置における差分に応じた値であることを特徴とする請求項１に記載の電気光学装置の駆動回路。
【請求項３】
前記補正値は、前記表示部の中央からの距離に応じた値であることを特徴とする請求項１に記載の電気光学装置の駆動回路。
【請求項４】
前記画像信号はデジタル信号であり、
前記補正値としては、前記画像信号の最小重みビットの１ビット分だけ前記正極性画像信号と負極性画像信号とで異なる値に設定可能であることを特徴とする請求項１に記載の電気光学装置の駆動回路。
【請求項５】
請求項１乃至４のいずれか１つに記載の電気光学装置の駆動回路と、
前記表示部と、
前記表示部の前記走査線に前記走査信号を供給する走査線駆動回路と、
前記表示部の前記ソース線に前記補正手段からの画像信号を供給するデータ線駆動回路とを具備したことを特徴とする電気光学装置。
【請求項６】
請求項５に記載の電気光学装置を用いて構成した表示手段を具備したことを特徴とする電子機器。
【発明の詳細な説明】
【技術分野】
【０００１】
本発明は、表示領域の全域にわたって、いわゆるフリッカ等を適切に低減させた電気光学装置及びその駆動回路並びに電子機器に関する。
【背景技術】
【０００２】
電気光学装置、例えば、電気光学物質として液晶を用いた液晶表示装置は、陰極線管（ＣＲＴ）に代わるディスプレイデバイスとして、各種情報処理機器の表示部や液晶テレビ等に広く用いられている。
【０００３】
このような液晶表示装置は、例えば、マトリクス状に配列した画素電極と、この画素電極に接続されたＴＦＴ（Thin Filｍ Transistor : 薄膜トランジスタ）のようなスイッチング素子等が設けられた素子基板と、画素電極に対向する対向電極が形成された対向基板と、これら両基板との間に充填された電気光学物質たる液晶とによって構成される。
【０００４】
ＴＦＴは走査線（ゲート線）を介して供給される走査信号（ゲート信号）によって導通する。走査信号を印加してスイッチング素子を導通状態にした状態で、データ線（ソース線）を介して画素電極に、階調に応じた電圧の画像信号を印加する。そうすると、画素電極と対向電極に、画像信号の電圧に応じた電荷が蓄積される。電荷蓄積後、走査信号を取り去りＴＦＴを非導通状態にしても、各電極における電荷の蓄積状態は、液晶層の容量性や蓄積容量等によって維持される。
【０００５】
このように、各スイッチング素子を駆動させ、蓄積させる電荷量を階調に応じて制御すると、画素毎に液晶の配向状態が変化して光の透過率が変わり、画素毎に明るさを変化させることができる。こうして、階調表示することが可能となる。
【０００６】
ところで、液晶装置では、印加信号の直流成分の印加などによって、例えば、液晶成分の分解、液晶セル中の不純物による汚染が発生し、表示画像の焼き付き等の現象が現れる。そこで、一般的には、各画素電極の駆動電圧の極性を、例えば画像信号におけるフレーム毎に反転させる反転駆動が行われる。フレーム反転駆動等の面反転駆動は、画像表示領域を構成する全画素電極の駆動電圧の極性を全て同じにして、一定周期で駆動電圧を反転させる方式である。
【０００７】
液晶層及び蓄積容量の容量性を考慮すると、各画素の液晶層に電荷を印加するのは一部の期間のみでよい。従って、マトリクス状に配設された複数の画素を駆動する場合には、同一走査ラインに接続された画素に各走査線によって同時に走査信号を印加し、画像信号をデータ線を介して各画素に供給し、また画像信号を供給する走査線を順次切換えればよい。即ち、液晶表示装置では、走査線及びデータ線を複数の画素について共通化した時分割マルチプレックス駆動が可能となる。
【０００８】
このように、液晶装置では、容量性を考慮して、画素には一部の期間にのみ駆動電圧が印加される。しかしながら、結合容量の影響及び電荷のリークによって、画素電極はＴＦＴがオフの期間においてもソース線電位の影響を受ける。画素の印加電圧のこのような電位変動によって、画面内の表示が不均一となり、特に、中間調領域では画質の劣化が目立ってしまう。
【０００９】
そこで、このような問題点を回避するために、液晶装置においては、１フレーム毎の反転駆動処理と共に、例えばライン毎に駆動電位の極性を異ならせるライン反転駆動等とを組み合わせた反転駆動が採用される。ソース線を介して転送される画像信号の極性を比較的短時間に切換えることで、結合容量の影響及び電荷のリークの影響を低減するのである。ここで、画像信号の極性とは、基準電圧であるＬＣコモン電圧を基準とした相対的な極性のことを言う。
【特許文献１】特開２００２−１８２６２２号公報
【発明の開示】
【発明が解決しようとする課題】
【００１０】
ところで、ソース線を介して供給される画像信号は、ＴＦＴのソース・ドレイン路を経由して、画素電極に印加される。上述したように、ＴＦＴがオフになると、液晶層の容量性及び蓄積容量によって、画素電極に印加された画像信号は、次の書き込みまで次第にレベルが低下しながら保持される。ところが、ＴＦＴのオフの瞬間に、ＴＦＴのゲート・ソース間の寄生容量及び配線容量等に保持された電圧分だけ、画素電極の印加電圧が低下する、所謂プッシュダウンが生じる。更に、ＴＦＴのチャネル型の影響により、正極性の画像信号の書き込み直後のプッシュダウン量よりも、負極性の画像信号の書き込み直後のプッシュダウン量の方が大きい。
【００１１】
このようなプッシュダウン量の相違によって、正極性画像信号と負極性画像信号との実効値が変化してしまう。一般的には、液晶層に直流成分を印加させないように、正極性画像信号と負極性画像信号の実効値が相互に一致するレベルに、対向電極に印加する電圧（以下、ＬＣコモン電圧という）を設定する。即ち、プッシュダウン量が大きいほど、正極性画像信号と負極性画像信号との実効値を相互に一致させるＬＣコモン電圧（以下、最適ＬＣコモン電圧という）が低下する。
【００１２】
なお、プッシュダウンに起因して、液晶に直流成分が印加されることを防止するために、画像信号のレベルを制御する技術が特許文献１に記載されている。
【００１３】
ところで、液晶装置においては、各走査線に走査信号を供給するＹドライバは、画素領域の左右の一方又は両方に配置される。走査信号は配線抵抗等の影響によってＹドライバからの距離が遠いほど波形が歪む。これにより、Ｙドライバからの距離が遠い画素ほど、プッシュダウン量も低下する。即ち、Ｙドライバからの距離が小さい画素ほど正極性と負極性のプッシュダウン量の差が大きく、距離が大きくなるとプッシュダウン量の差は小さくなる。即ち、画面位置に応じて、最適ＬＣコモン電圧が変化することになる。
【００１４】
また、一般的には、液晶装置を構成するＴＦＴ基板及び対向基板は積層構造を有し、液晶装置に斜めから入射された光は積層構造内で多重反射を起こして、ＴＦＴ素子のチャネル領域やチャネル隣接領域に照射されてしまうことがある。そうすると、ＴＦＴ素子のゲート側に流れる光リーク電流が発生する。リーク電流は、正極性画像信号のレベルを下げ、負極性画像信号のレベルをあげる。しかも、光リーク電流の影響は正極性駆動時の方が負極性駆動時よりも大きい。即ち、リーク電流の発生によって、最適ＬＣコモン電圧は低くなる。
【００１５】
ところが、開口領域の中央部と周辺部とでは、光リーク量が異なり、画面中央ほど光リーク量が大きい。即ち、画面位置に応じて、最適ＬＣコモン電圧が変化することになる。
【００１６】
ＬＣコモン電圧は共通電極に印加する電圧であり、画面内で均一である。従って、画面位置によっては、プッシュダウンの影響及び光リークの影響等によって、実際に液晶容量に印加される電圧実効値が正極性書込と負極性書込とで異なってしまう。このため、交流駆動にも拘わらず、液晶容量には直流成分が印加されることになり、焼き付き現象が発生すると共に、正極性書込み時と負極性書込み時とで明滅（フリッカ）が発生して、表示品位が著しく低下する。
【００１７】
本発明はかかる問題点に鑑みてなされたものであって、焼き付きやフリッカによる表示品位の低下を解消することができる電気光学装置及びその駆動回路並びに電子機器を提供することを目的とする。
【課題を解決するための手段】
【００１８】
本発明に係る電気光学装置の駆動回路は、格子状に配設された複数のソース線及び複数の走査線の各交差に対応して画素が構成され、前記走査線に供給される走査信号によって前記画素に設けられたスイッチング素子がオンされることによって前記ソース線に供給された画像信号が前記スイッチング素子を介して各画素の画素電極に与えられて画素表示が行われる表示部について、前記表示部の画素位置に応じた補正値を記憶する記憶手段と、極性反転駆動用の前記画像信号が与えられ、前記記憶手段からの補正値を正極性及び負極性の前記画像信号に夫々独立に加算して前記表示部に与える補正手段とを具備したことを特徴とする。
【００１９】
このような構成によれば、記憶手段には、表示部の画素位置に応じた補正値が記憶される。補正手段は、極性反転駆動用の画像信号が与えられ、正極性及び負極性の画像信号に、対応する画素位置の補正値を読出して加算する。正極性及び負極性の画像信号に同様の補正値を加算しており、輝度レベルを変化させることなく、例えば、等価的に表示部の最適基準電圧を補正することができ、例えば、表示部の画面全域において、均一な表示を行うことができる。即ち、表示部に直流成分が印加されることを防止して、焼き付き現象及びフリッカが生じない高品位の画像表示が可能である。
【００２０】
また、前記補正値は、各画素位置における正極性画像信号の実効値と負極性画像信号の実効値を一致させる最適基準電圧と前記表示部に設定される設定基準電圧との各画素位置における差分に応じた値であることを特徴とする。
【００２１】
このような構成によれば、補正手段が画像信号に補正値を加えることで、画像信号の正極性画像信号の実効値と負極性画像信号の実効値を等価的に一致させることができる。即ち、表示部を最適基準電圧にした設定での駆動が可能となり、表示部に直流成分が印加されることを防止して、焼き付き現象及びフリッカが生じない高品位の画像表示が可能である。
【００２２】
また、前記補正値は、前記表示部の中央からの距離に応じた値であることを特徴とする。
【００２３】
このような構成によれば、表示部の最適基準電圧が、表示部の中央からの距離に応じて変化する場合等において、等価的には、面内を均一な最適基準電圧にすることができ、焼き付き現象及びフリッカが生じない高品位の画像表示が可能である。
【００２４】
また、前記画像信号はデジタル信号であり、前記補正値としては、前記画像信号の最小重みビットの１ビット分だけ前記正極性画像信号と負極性画像信号とで異なる値に設定可能であることを特徴とする。
【００２５】
このような構成によれば、画像信号の最小重みビットの１／２の精度で、等価的に最適基準電圧を制御可能である。
【００２６】
本発明に係る電気光学装置は、上記電気光学装置の駆動回路と、前記表示部と、前記表示部の前記走査線に前記走査信号を供給する走査線駆動回路と、前記表示部の前記ソース線に前記補正手段からの画像信号を供給するデータ線駆動回路とを具備したことを特徴とする。
【００２７】
このような構成によれば、電気光学装置の駆動回路からは、記憶手段に格納された補正値が加算された画像信号が出力される。この画像信号は走査線駆動回路及びデータ線駆動回路によって、各画素に書き込まれる。正極性画像信号及び負極性画像信号の両方に例えば同一の補正値が加算されており、画像信号は輝度レベルが変化することなく、等価的に最適基準電圧が補正される。これにより、焼き付き現象及びフリッカが生じない高品位の画像表示が可能である。
【００２８】
また、本発明に係る電子機器は、上記電気光学装置を用いて構成した表示手段を具備したことを特徴とする。
【００２９】
このような構成によれば、焼き付き現象及びフリッカが生じない高品位の画像表示が可能である。
【発明を実施するための最良の形態】
【００３０】
以下、図面を参照して本発明の実施の形態について詳細に説明する。図１は本発明の一実施の形態に係る電気光学装置を示す説明図である。本実施の形態は液晶パネルによる透過像を合成した後、拡大投射するプロジェクタに適用したものである。
【００３１】
＜実施の形態＞
先ず図１を参照してプロジェクタの光学系の構成について概略的に説明する。
【００３２】
図１において、プロジェクタ１１００内部には、ハロゲンランプ等の白色光源からなるランプユニット１１０２が設けられている。このランプユニット１１０２から射出された投射光は、内部に配置された３枚のミラー１１０６及び２枚のダイクロイックミラー１１０８によってＲ（赤）、Ｇ（緑）、Ｂ（青）の３原色に分離されて、各原色に対応する液晶パネル１００Ｒ、１００Ｇ、１００Ｂにそれぞれ導かれる。
【００３３】
ここで、液晶パネル１００Ｒ、１００Ｂ、１００Ｇには、後述する処理回路３００により処理されたＲ、Ｇ、Ｂの画像信号がそれぞれ供給される。これにより、液晶パネル１００Ｒ、１００Ｇ、１００Ｂは、それぞれＲＧＢの各原色画像を生成する光変調器として機能することになる。これらの液晶パネル１００Ｒ、１００Ｂ、１００Ｇによって変調された光は、ダイクロイックプリズム１１１２に３方向から入射される。このダイクロイックプリズム１１１２においては、Ｒ及びＢの光が９０度に屈折する一方、Ｇの光が直進する。これにより、各原色画像の合成像が、投射レンズ１１１４を介して、スクリーン１１２０に投写されることとなる。なお、液晶パネル１００Ｒ、１００Ｂ、１００Ｇには、ダイクロイックミラー１１０８によって、Ｒ、Ｇ、Ｂの各原色に対応する光が入射するので、直視型パネルのようなカラーフィルタは不要である。
【００３４】
次に、このプロジェクタ１１００の電気的な構成について説明する。
【００３５】
図２はプロジェクタの電気的な構成を示すブロック図である。プロジェクタ１１００は、３枚の液晶パネル１００Ｒ、１００Ｇ、１００Ｂと、タイミング制御回路２００と、処理回路３００とを備える。このうち、タイミング制御回路２００は、上位装置から供給される垂直走査信号Ｖｓ、水平走査信号Ｈｓ及びドットクロック信号ＤＣＬＫにしたがって、各部を制御するためのタイミング信号やクロック信号などを生成するものである。
【００３６】
一方、処理回路３００は、ガンマ補正回路３１０、補正回路３２０、Ｓ／Ｐ（シリアル−パラレル）変換回路３３０Ｒ、３３０Ｇ、３３０Ｂ及び反転増幅回路３４０Ｒ、３４０Ｇ、３４０Ｂから構成されている。このうち、ガンマ補正回路３１０は、Ｒ、Ｇ、Ｂに対応して供給されるディジタルの画像データＤＲ、ＤＧ、ＤＢに対し、液晶パネル１００Ｒ、１００Ｇ、１００Ｂの各々の表示特性に対応するように、ガンマ補正を施して、画像データＤＲ’、ＤＧ’、ＤＢ’として出力するものである。補正回路３２０は、画像データＤＲ’、ＤＧ’、ＤＢ’に対し、フリッカ等を、色毎に、かつ、画素毎に防止する補正を施すとともに、補正されたデータをＤ／Ａ変換して、画像信号ＶＩＤＲ、ＶＩＤＧ、ＶＩＤＢとして出力するものである。なお、補正回路３２０の詳細については後述する。
【００３７】
赤（Ｒ）に対応するＳ／Ｐ変換回路３３０Ｒは、１系統の画像信号ＶＩＤＲを入力すると、これを６系統に分配するとともに、時間軸に対して６倍に伸長（シリアル−パラレル変換）して出力するものである（図４参照）。ここで、６系統の画像信号に変換する理由は、後述するサンプリングスイッチ１５１（図３参照）において、画像信号の印加時間を長くして、画像信号のサンプリング時間及び充放電時間を十分に確保するためである。Ｒに対応する反転増幅回路３４０Ｒは、画像信号を極性反転させた後、増幅して、画像信号ＶＩＤｒ１〜ＶＩＤｒ６として液晶パネル１００Ｒに供給するものである。尚、ここで、画像信号の極性とは、基準電圧であるＬＣコモン電圧を基準にした相対的な極性のことと定義する。
【００３８】
なお、補正回路３２０による緑（Ｇ）の画像信号ＶＩＤＧについても、同様に、Ｓ／Ｐ変換回路３３０Ｇによって６系統に変換された後に、反転増幅回路３４０Ｇによって反転・増幅されて、画像信号ＶＩＤｇ１〜ＶＩＤｇ６として液晶パネル１００Ｇに供給される。同様に、青（Ｂ）の画像信号ＶＩＤＢについても、Ｓ／Ｐ変換回路３３０Ｂによって６系統に変換された後に、反転増幅回路３４０Ｂによって反転・増幅されて、画像信号ＶＩＤｂ１〜ＶＩＤｂ６として液晶パネル１００Ｂに供給される。
【００３９】
なお、反転・増幅回路３４０Ｒ、３４０Ｇ、３４０Ｂは、一定電位Ｖcを基準としてその電圧レベルを交互に反転させることで極性反転を行う。また反転するか否かについては、データ線への画像信号の印加方式が走査線単位の極性反転であるか、データ線単位の極性反転であるか、画素単位の極性反転であるかに応じて定められ、その反転周期は、１水平走査期間またはドットクロック周期に設定されるが、以下の説明では、便宜的に、走査線単位の極性反転であるとする。
【００４０】
次に、液晶パネル１００Ｒ、１００Ｇ、１００Ｂの構成について説明する。
【００４１】
なお、液晶パネル１００Ｒ、１００Ｇ、１００Ｂについては、電気的にみれば互いに同一構成であるので、ここでは、Ｒに対応する液晶パネル１００Ｒを例にとって説明する。図３は、液晶パネル１００Ｒの構成を示すブロック図である。この図に示すように、液晶パネル１００の表示領域１００ａにあっては、複数本の走査線１１２が行（Ｘ）方向に沿って平行に形成され、また、複数本のデータ線１１４が列（Ｙ）方向に沿って平行に形成されている。そして、これらの走査線１１２とデータ線１１４とが交差する部分においては、スイッチング素子たるＴＦＴ１１６のゲートが走査線１１２に接続される一方、ＴＦＴ１１６のソースがデータ線１１４に接続されるとともに、ＴＦＴ１１６のドレインが矩形状の透明な画素電極１１８に接続されている。ここで、画素電極１１８は、対向電極１０８と対向し、さらに両電極間において液晶１０５が挟持された構成となっている。すなわち、液晶容量は、画素電極と対向電極との間に液晶が挟持されることにより形成される。
【００４２】
表示領域１００ａの周辺には、走査線駆動回路１３０や、データ線駆動回路１４０、サンプリングスイッチ１５１等からなる周辺回路１２０が設けられる。このうち、走査線駆動回路１３０は、図４に示すように、垂直走査期間の開始に供給される転送パルスＤＹを、クロック信号ＣＬＹの論理レベルが遷移する毎に（立ち上がり及び立ち下がり）順次シフトして、１水平走査期間１Ｈ毎に排他的にオン電位となるような走査信号Ｇ１、Ｇ２、Ｇ３、…、Ｇｙを、各走査線１１２に供給するものである。
【００４３】
データ線駆動回路１４０は、順次オン電位となるサンプリング制御信号Ｓ１、Ｓ２、…、Ｓｘを、１水平走査期間内に出力するものである。詳細には、データ線駆動回路１４０は、図４に示すように、水平走査期間のはじまりに供給される転送パルスＤＸを、クロック信号ＣＬＸの論理レベルが遷移する毎に順次シフトして、排他的にオン電位となるように、サンプリング制御信号Ｓ１、Ｓ２、Ｓ３、…、Ｓｘを出力するものである。
【００４４】
画像信号ＶＩＤｒ１〜ＶＩＤｒ６は、６本の画像信号線１７１を介して供給され、サンプリング制御信号Ｓ１、Ｓ２、Ｓ３、…、Ｓｘにしたがって各データ線１１４にサンプリングされる構成となっている。詳細には、データ線１１４は６本毎にブロック化されており、図３において左から数えてｉ（ｉは、１、２、…、ｎ）番目のブロックに属するデータ線１１４の６本のうち、最も左に位置するデータ線１１４の一端に接続されるサンプリングスイッチ１５１は、サンプリング信号Ｓｉがオン電位になると、画像信号線１７１を介して供給された画像信号ＶＩＤｒ１をサンプリングして、当該データ線１１４に供給する構成となっている。
【００４５】
また、同じくｉ番目のブロックに属するデータ線１１４の６本のうち、２番目に位置するデータ線１１４の一端に接続されるサンプリングスイッチ１５１は、サンプリング信号Ｓｉがオン電位になると、画像信号ＶＩＤｒ２をサンプリングして、当該データ線１１４に供給する構成となっている。以下、同様に、ｉ番目のブロックに属するデータ線１１４の６本のうち、３、４、５、６番目に位置するデータ線１１４の一端に接続されるサンプリングスイッチ１５１の各々は、サンプリング信号Ｓｉがオン電位になると、画像信号ＶＩＤｒ３、ＶＩＤｒ４、ＶＩＤｒ５、ＶＩＤｒ６の各々をそれぞれサンプリングして、対応するデータ線１１４に供給する構成となっている。
【００４６】
また、表示領域１００ａには、このほかに、液晶容量の電荷蓄積を補助するための蓄積容量１０９が各液晶容量に対して並列に形成されている。詳細には、蓄積容量１０９の一端は、画素電極１１８（ＴＦＴ１１６のドレイン）に接続される一方、その他端は、容量線１７５により共通接続されている。なお、この容量線１７５には、一定の電位（例えば電位ＬＣcomや、オン電位Ｖdd、オフ電位Ｖssなど）に共通接地されている。
【００４７】
次に、図２中の補正回路３２０の詳細な構成ついて説明する。
【００４８】
図５はこの補正回路の構成を示すブロック図である。この図において、補正量出力部３２２は、ディジタルの画像データＤＲ’、ＤＧ’、ＤＢ’にそれぞれ対応する補正データＣｍｐ−Ｒ、Ｃｍｐ−Ｇ、Ｃｍｐ−Ｂを、表示領域１００ａにおける座標位置に対応して出力するものである。なお、この補正量出力部３２２の詳細については、さらに後述することにする。
【００４９】
ＲＧＢの各々に対応する加算器３２６には、それぞれ補正データＣｍｐ−Ｒ、Ｃｍｐ−Ｇ、Ｃｍｐ−Ｂが供給される一方、入力端Ｂにはゼロデータが供給されている。各加算器３２６は、補正量出力部３２２からのデータを、それぞれ元の画像データＤＲ’、ＤＧ’、ＤＢ’に加算して出力するものである。そして、ＲＧＢの各々に対応するＤ／Ａ変換器３２８は、それぞれ加算器３２６によって加算されたデータをアナログ変換して、補正された画像信号ＶＩＤＲ、ＶＩＤＧ、ＶＩＤＢとして出力するものである。
【００５０】
このような構成においては、画像データＤＲ’、ＤＧ’、ＤＢ’には、それぞれ補正データＣｍｐ−Ｒ、Ｃｍｐ−Ｇ、Ｃｍｐ−Ｂが、色毎に相互に独立して加算されることになる。本実施の形態においては、表示領域に位置に応じた最適基準電圧である最適ＬＣコモン電圧の変化分だけ、各座標位置に対応した補正データを画像データに加算することで、等価的に最適ＬＣコモン電圧を得るものである。
【００５１】
このように、補正量出力部３２２は、表示領域１００ａにおける座標位置（画素位置）に応じた補正データを作成して出力することにより、フリッカ等による表示品位の低下を防止するようになっている。
【００５２】
次に、図５中の補正量出力部３２２の詳細について説明する。
【００５３】
図６はこの補正量出力部３２２の構成を示すブロック図である。この図に示すように補正量出力部３２２は、Ｘカウンタ１０、Ｙカウンタ１１、ＲＯＭ（ReadOnly Memory）１２、補間処理部１３及び補正ユニットＵＲ、ＵＧ、ＵＢから構成される。
【００５４】
このうち、Ｘカウンタ１０は、１ドット（画素）分の画像データの供給周期に同期するドットクロック信号ＤＣＬＫをカウントして、画像データのＸ座標を示すＸ座標データＤｘを出力するものである。一方、Ｙカウンタ１１は、水平走査に同期する水平クロック信号ＨＣＬＫをカウントして、画像データのＹ座標を示すＹ座標データＤｙを出力するものである。したがって、Ｘ座標データＤｘとＹ座標データＤｙとを参照することによって、当該画像データに対応するドット（画素）の座標を知ることができる。なお、水平クロック信号ＨＣＬＫを１／２分周したものが、上述したクロック信号ＣＬＹである。また、ドットクロック信号ＤＣＬＫを１／１２分周したものが、上述したクロック信号ＣＬＸである。
【００５５】
ＲＯＭ１２は不揮発性のメモリであり、プロジェクタ１１００の電源投入時に、補正データＤrefr、Ｄrefg、ＤrefbをＲＧＢに対応して出力する。この補正データＤrefr、Ｄrefg、Ｄrefbは、フリッカ等を補正する補正データの元となるデータである。
【００５６】
なお、以下の説明では、補正データについて、ＲＧＢの各色で区別する場合、Ｒに対応するものをＤrefrと、Ｇに対応するものをＤrefgと、Ｂに対応するものをＤrefbとそれぞれ表記する一方、ＲＧＢの各色で区別しない場合、単にＤrefと表記することにする。
【００５７】
図７及び図８はＲＯＭ１２に格納される補正データを説明するための説明図である。上述したように、光リーク及びプッシュダウン等に起因して、表示領域１００ａ内の各位置毎に最適ＬＣコモン電圧は相違する。本実施の形態においては、最適ＬＣコモン電圧を所定の固定の電圧（以下、設定ＬＣコモン電圧という）に設定すると共に、表示領域１００ａ内の各部毎に設定基準電圧である設定ＬＣコモン電圧と最適ＬＣコモン電圧との差分に対応した補正データを用いる。
【００５８】
図７は補正後の画像信号を示している。図７の一点鎖線は設定ＬＣコモン電圧を示している。図７の有効表示期間は表示領域１００ａの所定の水平１ライン分の信号であり、例えば図８の画面中央のＡラインであるものとする。図８は表示領域１００ａを示している。
【００５９】
いま、図８に示す表示領域１００ａ中の周辺の画素を基準に、最適ＬＣコモン電圧を設定する。即ち、表示領域１００ａの周辺については、正極性画像信号と負極性画像信号の実効値が一致するように、設定ＬＣコモン電圧が設定されている。ところが、上述したように、表示領域１００ａの中央においては、光リーク電流の影響等によって、縁辺部よりも最適ＬＣコモン電圧は低い。図８の円形領域は、最適ＬＣコモン電圧が比較的高い表示領域１００ａ中の範囲を示している。
【００６０】
本実施の形態においては、表示領域１００ａの各座標位置毎に、最適ＬＣコモン電圧と設定ＬＣコモン電圧との差を示す補正データをＲＯＭ１２に格納するようになっている。この場合には、メモリの容量、補正データの算出演算の負荷を小さくするために、各画素毎に補正データを設定するのではなく、例えば、表示領域１００ａを中央から周辺に向かう距離に応じて複数の領域に分け、各領域毎に１つの補正データを設定してもよい。この場合には、各領域に含まれる画素の画像信号については、共通の補正が行われる。なお、各領域の補正データを用いた場合でも、補間処理部１３において、表示領域１００ａの中央からの距離に応じて補正データを補正（補間）することで、各画素毎に画像信号の補正が可能である。
【００６１】
即ち、補間処理部１３は、各領域に設定された補正データを用いて、表示領域１００ａの中央からの距離に応じて、各画素位置における補正データを算出する。補間処理部１３は、求めた各画素位置の補正データを補正データＤＨｒ、ＤＨｇ、ＤＨｂとして夫々補正テーブル１４Ｒ乃至１４Ｂに出力する。
【００６２】
なお、補正データは、画像信号が正極性であるか負極性であるかに拘わらず、光リーク及びプッシュダウン等に起因する最適ＬＣコモン電圧の面内変化のみに応じて、例えば表示領域１００ａの中央からの距離に従って設定される。
【００６３】
また、ＲＯＭ１２内に、表示領域１００ａの全座標位置毎に、補正データを格納するようにしてもよい。この場合には、各座標位置毎の補正データをそのまま用いて、全画素の画像信号の補正が可能である。
【００６４】
おな、図８のように、丸で囲った領域とその他の周辺領域との２つの領域について、夫々１つの補正データを設定するようにしてもよい。ＲＯＭ１２に格納されている補正データが各画素位置に対応するものである場合、或いは補正データに対応した補正のみを行う場合には、補間処理部１３は省略することができる。
【００６５】
補正ユニットＵＲ乃至ＵＢは、夫々、補正テーブル１４Ｒ乃至１４Ｂ及びアドレス発生部１７Ｒ乃至１７Ｂを備えている。補正テーブル１４Ｒ乃至１４Ｂは、補間処理部１３からの各画素位置に対応した各補正データＤＨｒ，ＤＨｇ，ＤＨｂを、夫々画素位置に対応したアドレスに格納する。アドレス発生部１７Ｒ乃至１７Ｂは、座標データＤｘ，Ｄｙが与えられて、補正テーブル１４Ｒ乃至１４Ｂの対応するアドレスを指定する。
【００６６】
これにより、補正テーブル１４Ｒ乃至１４Ｂは、入力画像信号の各画素位置に対応したタイミングで、補正データＣｍｐ−Ｒ乃至Ｃｍｐ−Ｂを出力する。
【００６７】
次に、補正回路３２０の動作について説明する。
【００６８】
図９は補正回路の動作を示すフローチャートである。
【００６９】
いま、光リーク及びプッシュダウン等によって、表示領域１００ａの中央ほど周辺よりも最適ＬＣコモン電圧が低いものとする。そして、表示領域１００ａの縁辺部近傍の最適ＬＣコモンを基準に設定ＬＣコモン電圧を設定するものとする。従って、この場合には、表示領域１００ａの縁辺部に対応する補正データは、補正量を０とする値に設定され、表示領域１００ａの中央に近い画素に対応する補正データほど、大きな補正量を与える値に設定される。光リーク及びプッシュダウンによる最適ＬＣコモン電圧の面内変化は、システム構築時に既知となり、最適ＬＣコモン電圧の面内変化に基づいて予めＲＯＭ１２内に補正データが格納されているものとする。
【００７０】
まず、プロジェクタ１１００に電源が投入されると、ＲＯＭ１２から各基準座標に対応する補正データＤref（Ｄrefr、Ｄrefg、Ｄrefb）が読み出される（ステップＳ１）。
【００７１】
補間処理部１３は、補正データＤrefr、Ｄrefg、Ｄrefbに対して、表示領域１００ａの中央からの距離に応じて各画素位置の補正データＤＨｒ、ＤＨｇ、ＤＨｂを補間処理によって生成する（ステップＳ２）。生成された補正データＤＨｒ、ＤＨｇ、ＤＨｂは夫々補正テーブル１４Ｒ乃至１４Ｂに供給される。
【００７２】
各画素位置の補正データＤＨｒ、ＤＨｇ、ＤＨｂは、夫々補正テーブル１４Ｒ、１４Ｇ、１４Ｂの対応するアドレスに格納される。次のステップＳ3 において、１ドット（画素）分の画像データＤＲ’、ＤＧ’、ＤＢ’に対応してドットクロック信号ＤＣＬＫ及び水平クロック信号ＨＣＬＫが供給されたか否かが判別される。この判別結果が否定的であれば、再び処理の手順がステップＳ３に戻って待機状態になる。
【００７３】
また、ステップＳ3 の判別結果が肯定的であれば、Ｘカウンタ１０及びＹカウンタ１１は、夫々入力されたＤＬＣＫをカウントアップし、表示領域１００ａの水平方向の座標データを更新する。Ｘカウンタ１０及びＹカウンタ１１のカウント値は、現時点における画像データＤＲ’、ＤＧ’、ＤＢ’が、表示領域１００ａにおいて、いかなる座標位置に対応しているのかを示すものである。
【００７４】
Ｘカウント１０及びＹカウンタ１１から出力されるＸデータ座標Ｄｘ及びＹデータ座標Ｄｙはアドレス発生部１７Ｒ乃至１７Ｂに与えられ、アドレス発生部１７Ｒ乃至Ｂは、入力画像データに基づく画素位置に対応する各補正テーブル１４Ｒ乃至１４Ｂのアドレスを発生する（ステップＳ4 ）。各補正テーブル１４Ｒ乃至１４Ｂからは、入力画像データの表示領域１００ａ上の画素位置に対応する補正データが読出されて、夫々補正データＣｍｐ−Ｒ乃至Ｃｍｐ−Ｂとして出力される（ステップＳ5 ）。
【００７５】
補正データＣｍｐ−Ｒ乃至Ｃｍｐ−Ｂは夫々各軸の加算器３２６に供給されて、入力画像データＤＲ’乃至ＤＢ’に加算される。各軸の加算器３２６の出力は夫々各軸のＤ／Ａ変換器３２８によってアナログ変換されて、画像信号ＶＩＤＲ乃至ＶＩＤＢとして出力される。この後、次の１ドット分の画像データＤＲ’、ＤＧ’、ＤＢ’についても同様な処理を実行すべく、処理手順が再びＳ３に戻ることになる。
【００７６】
これにより、ソース線に供給される画像信号は例えば図７に示すものとなる。図７の破線は補正前の画像信号を示している。図７に示すように、補正は、正極性画像信号時及び負極性画像信号のいずれについても、画面の中央に対応する信号のレベルを正方向に増加させることによって行う。また、その補正値は、正極性であるか負極性に拘わらず、同一の値が用いられる。
【００７７】
このように、本実施の形態によれば、画像信号が正極性であるか負極性であるかに拘わらず、最適ＬＣコモン電圧の面内変化のみに応じて求めた補正値を、正極性画像信号及び負極性画像信号に加算することで、正負の実効値を等しくして、等価的に設定ＬＣコモン電圧が全画素について最適ＬＣコモン電圧となるようにしている。これにより、焼き付き現象やフリッカ等による表示品位の低下が抑えられることになる。
【００７８】
また、正極性画像信号及び負極性画像信号の一方に補正データを加算する場合、あるいは、相互に異なる補正データを加算する場合には、輝度レベルが変化するという欠点がある。これに対し、本実施の形態においては、正極性画像信号及び負極性画像信号のいずれにも、同一レベルの補正データを加算していることから、補正によって輝度レベルが変化することはない。
【００７９】
ところで、本実施の形態のように、画像信号をディジタル処理して補正を行うものとする場合には、等価的な最適ＬＣコモン電圧は、画像信号のＬＳＢ（最小重みビット（least significant bit））の１ビットが制御の最小単位となる。例えば、１ＬＳＢが１０ｍＶに相当するものとすると、正極性及び負極性画像信号に同一の補正値を加算することで、最適ＬＣコモン電圧は等価的に１０ｍＶ高くなる。
【００８０】
これに対し、本実施の形態においては、正極性画像信号に対する補正値と負極性画像信号に対する補正値とを、画像信号のＬＳＢの１ビット分だけ異なった値に設定することも可能である。例えば、正極性画像信号を１ＬＳＢだけ高くし、負極性画像信号の補正量を０とすると、最適ＬＣコモン電圧は等価的に０．５ＬＳＢビット分だけ上昇することになる。例えば、１ＬＳＢが１０ｍＶに相当するものとすると、この場合には、最適ＬＣコモン電圧は等価的に５ｍＶ高くなることになり、最適ＬＣコモン電圧の制御の最小単位を１／２にして、制御の精度を向上させることができる。
【００８１】
＜電子機器＞次に、上述した処理回路をプロジェクタ以外の電子機器に用いた例について説明する。
【００８２】
まず、上述した処理回路を、モバイル型のコンピュータの表示部に適用した例について説明する。図１０はこのコンピュータの構成を示す斜視図である。図において、コンピュータ２１００は、キーボード２１０２を備えた本体部２１０４と、液晶パネル１００とから構成されている。また、液晶パネル１００の背面には、視認性を高めるためのバックライトユニット（図示省略）が設けられる。
【００８３】
ここで、上述したプロジェクタ１１００は、ＲＧＢの各色にそれぞれ対応する液晶パネル１００Ｒ、１００Ｇ、１００Ｂの３板構成であったが、この液晶パネル１００は、カラーフィルタにより１枚でＲＧＢの各色を表示するものである。したがって、このような液晶パネル１００に対しては、画像信号ＶＩＤｒ１〜ＶＩＤｒ６、ＶＩＤｇ１〜ＶＩＤｇ６、ＶＩＤｂ１〜ＶＩＤｂ６は、並列的に供給されるのではなく、時分割で供給されることになる。この場合でも、上述した補正回路３２０と同様に、表示領域の中央からの距離に従って、正極性画像信号と負極性画像信号に対して同様の補正を施すことで、表示領域の全域にわたって適切に焼き付き現象やフリッカ等を低減することができる。
【００８４】
次に、上述した処理回路を携帯電話の表示部に適用した例について説明する。図１１はこの携帯電話の構成を示す斜視図である。図において、携帯電話２２００は、複数の操作ボタン２２０２のほか、受話口２２０４、送話口２２０６とともに、表示部として用いられる液晶パネル１００を備えるものである。この液晶パネル１００も、カラーフィルタにより１枚でＲＧＢ各色を表示するものであるが、単に白黒の階調表示を行うものとしても良い。白黒の階調表示を行う場合には、画像処理回路は、３原色分ではなく、単色分の構成で済む。
【００８５】
なお、図１０、図１１を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、POS端末、タッチパネルを備えた装置等などが挙げられる。そして、これらの各種電子機器に適用可能なのは言うまでもない。
【図面の簡単な説明】
【００８６】
【図１】本発明の一実施の形態に係る電気光学装置を示す説明図。
【図２】プロジェクタの電気的な構成を示すブロック図。
【図３】液晶パネル１００Ｒの構成を示すブロック図。
【図４】プロジェクタの動作を示すタイミングチャート。
【図５】補正回路の構成を示すブロック図。
【図６】補正量出力部３２２の構成を示すブロック図。
【図７】ＲＯＭ１２に格納される補正データを説明するための説明図。
【図８】ＲＯＭ１２に格納される補正データを説明するための説明図。
【図９】補正回路の動作を示すフローチャート。
【図１０】コンピュータの構成を示す斜視図。
【図１１】携帯電話の構成を示す斜視図。
【符号の説明】
【００８７】
１０…Ｘカウンタ、１１…Ｙカウンタ、１２…ＲＯＭ、１３…補間処理部、１４Ｒ乃至１４Ｂ…補正テーブル、１７Ｒ乃至１７Ｂ…アドレス発生部。
【図１】
2006003866.tif 000003
【図２】
2006003866.tif 000004
【図３】
2006003866.tif 000005
【図４】
2006003866.tif 000006
【図５】
2006003866.tif 000007
【図６】
2006003866.tif 000008
【図７】
2006003866.tif 000009
【図８】
2006003866.tif 000010
【図９】
2006003866.tif 000011
【図１０】
2006003866.tif 000012
【図１１】
2006003866.tif 000013